(57)【要約】【課題】外層側のパネルに施される印刷部分を長期に亘って鮮明な状態に維持することができる２層のパネル構造及びそのパネル構造を備えた電子機器を提供すること。【解決手段】２層のパネル構造１５０の外層側のパネル１５１は、透明部材で略平板状に形成されている。これにより、外層側のパネルの裏面に印刷を施すことができるので、デザイン性を向上させることができ、また長期間の使用等によっても印刷部分が掠れたり剥がれるおそれは無く、印刷部分を長期に亘って鮮明な状態に維持することができる。【選択図】図３
2008011307.tif 000002
【特許請求の範囲】
【請求項１】
２層のパネル構造であって、
外層側のパネルは、透明部材で略平板状に形成されていることを特徴とするパネル構造。
【請求項２】
前記透明部材は、ポリスチレン（ＰＳ）、ＡＢＳ、ポリメタクリル酸メチル（ＰＭＭＡ）、ポリカーボネート（ＰＣ）の何れか１種により成形されていることを特徴とする請求項１に記載のパネル構造。
【請求項３】
内層側のパネルは、係止用部材が形成されていることを特徴とする請求項１又は２に記載のパネル構造。
【請求項４】
前記係止用部材は、フックとスナップであることを特徴とする請求項１〜３の何れか一項に記載のパネル構造。
【請求項５】
前記内層側のパネルは、位置決め用部材が形成されていることを特徴とする請求項３又は４に記載のパネル構造。
【請求項６】
前記外層側のパネルは、前記内層側のパネルと両面接着部材を介して貼り合わされていることを特徴とする請求項１〜５の何れか一項に記載のパネル構造。
【請求項７】
前記外層側のパネルは、周縁の少なくとも一部に設けられた凸部が前記内層側のパネルの周縁と接するようにして取り付けられていることを特徴とする請求項１〜５の何れか一項に記載のパネル構造。
【請求項８】
請求項１〜７の何れか一項に記載のパネル構造を備えたことを特徴とする電子機器。
【発明の詳細な説明】
【技術分野】
【０００１】
本発明は、２層のパネル構造及びそのパネル構造を備えた電子機器に関する。
【背景技術】
【０００２】
電子機器に備えられているパネルには、表面パネルと内面パネルとを２層に組み合わせて１つのパネルとしたものがある。この２層のパネルは、表面パネルに設けた爪を内面パネルに設けた角穴に嵌合することにより組み合わされている。そして、内面パネルには制御用スイッチ類を固定するボスを形成し、表面パネルには上記ボスを形成せずに表面にひけ等の無い均一な板状とすることにより、表面パネルの表面に直接印刷できるようにしている（特許文献１参照）。
【０００３】
【特許文献１】実開平５−４８８８９号公報
【発明の開示】
【発明が解決しようとする課題】
【０００４】
上述した従来の２層のパネルの表面パネルを透明にすることにより、デザイン性を向上させることができるが、表面パネルに設けた爪が透けて見えてしまう問題がある。更に、従来の２層のパネルは、表面パネルの表面に印刷しているので、長期間の使用等により印刷部分が掠れたり剥がれる場合がある。そして、このパネルが例えば操作パネルとして使用されている場合は、印刷されている操作ボタン等の名称等が判別できなくなり、必要な操作ができず、また誤った操作をしてしまうおそれがある。
【０００５】
本発明は、上記のような課題に鑑みなされたものであり、その目的は、デザイン性を向上させることができ、また外層側のパネルに施される印刷部分を長期に亘って鮮明な状態に維持することができる２層のパネル構造及びそのパネル構造を備えた電子機器を提供することにある。
【課題を解決するための手段】
【０００６】
上記目的達成のため、本発明のパネル構造では、２層のパネル構造であって、外層側のパネルは、透明部材で略平板状に形成されていることを特徴としている。これにより、外層側のパネルの裏面に印刷を施すことができるので、デザイン性を向上させることができ、また長期間の使用等によっても印刷部分が掠れたり剥がれるおそれは無く、印刷部分を長期に亘って鮮明な状態に維持することができる。また、前記透明部材は、ポリスチレン（ＰＳ）、ＡＢＳ、ポリメタクリル酸メチル（ＰＭＭＡ）、ポリカーボネート（ＰＣ）の何れか１種により成形されていることを特徴としている。これにより、外層側のパネルを透明度の高いパネルにすることができる。
【０００７】
また、内層側のパネルは、係止用部材が形成されていることを特徴としている。これにより、外層側のパネルが透明であっても、外層側のパネルの裏面に印刷を施すことにより、係止用部材が透けて見えてしまうことを防止することができる。また、前記係止用部材は、フックとスナップであることを特徴としている。これにより、電子機器本体等に対するパネルの取り付け・取り外しが容易となるので、組立性及び解体性を向上させることができる。また、前記内層側のパネルは、位置決め用部材が形成されていることを特徴としている。これにより、電子機器本体等に対してパネルを取り付けたときの位置ズレによる隙間の発生を防止することができる。
【０００８】
また、前記外層側のパネルは、前記内層側のパネルと両面接着部材を介して貼り合わされていることを特徴としている。これにより、外層側のパネルと内層側のパネルとの貼り合わせ作業を簡易に行うことができる。また、前記外層側のパネルは、周縁の少なくとも一部に設けられた凸部が前記内層側のパネルの周縁と接するようにして取り付けられていることを特徴としている。これにより、外層側のパネルと内層側のパネルとの取り付けが容易となるので、組立性を向上させることができる。上記目的達成のため、本発明の電子機器では、上記パネル構造を備えたことを特徴としている。これにより、上記各作用効果を奏する電子機器を提供することが可能である。
【発明を実施するための最良の形態】
【０００９】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１０】
図１は、本発明の一実施の形態に係るパネル構造を備えた電子機器である記録装置の外観構成の全体を示す斜視図、図２は、図１のパネル構造を含む部分を示す斜視図である。この記録装置はインクジェット式プリンタ１００であり、例えば名刺、カード、Ｌ判／２Ｌ判、ハガキ、六切やＪＩＳ規格のＡ６判からＡ４判までのサイズの単票紙に記録することができる機能を備えている。このインクジェット式プリンタ１００は、図１に示すように、全体が略直方体状のハウジング１０１で覆われている。そして、ハウジング１０１の上面における前面側には本発明の特徴的な部分であるパネル板（パネル構造）１５０を含む操作部１１０が配設され、前面における図示左側にはメモリカードスロット部１２０が配設され、上面における背面側には給紙部１３０が配設され、前面側には排紙部１４０が配設されている。
【００１１】
操作部１１０は、図１及び図２に示すように、略直方体状のパネルハウジング１１１の上部中央に操作状態等を表示する液晶表示パネル１１２が装着され、この液晶表示パネル１１２の両側に略矩形平板状のパネル板１５０が装着されている。そして、各パネル板１５０には、パワーをオン・オフするパワー系、用紙の頭出し等を操作したりインクのフラッシング等を操作する操作系、画像処理等を行う処理系等の複数のボタン１１３が配設されている。ユーザは、液晶表示パネル１１２を見て確認しながら各種のボタン１１３を操作することができるので、誤操作を防止することができる。尚、パネル板１５０の詳細については後述する。
【００１２】
メモリカードスロット部１２０は、図示矢印ａ方向に開閉自在なカバー１２１で覆われている。このメモリカードスロット部１２０は、複数スロット形成され、複数種類のメモリカードに対応可能に構成されている。ユーザは、インクジェット式プリンタ１００をパーソナルコンピュータに接続しなくても、インクジェット式プリンタ１００単独の状態でメモリカードスロット部１２０にメモリカードを差し込むのみで、メモリカードに格納されている画像等を記録することができる。
【００１３】
給紙部１３０は、上方に向かって矩形状に開口した給紙口１３１を開閉する機能と、給紙する用紙を１枚もしくは複数枚サポートする機能を併せ持ったペーパーサポート１３２を備えている。このペーパーサポート１３２は、後端の回転軸を中心に図示矢印ｂ方向に回動可能に取り付けられている。ユーザは、インクジェット式プリンタ１００を使用又は不使用のときは、ペーパーサポート１３２の両側に指を掛けてペーパーサポート１３２を開閉することができるので、用紙の差し入れを容易に行うことができ、また給紙口１３１内への埃の侵入を防止することができる。
【００１４】
排紙部１４０は、前方に向かって矩形状に開口した排紙口１４１を開閉する機能と、排紙される用紙を１枚もしくは複数枚スタックする機能を併せ持ったスタッカ１４２を備えている。このスタッカ１４２は、下端の回転軸を中心に図示矢印ｃ方向に回動可能に取り付けられている。ユーザは、インクジェット式プリンタ１００を使用又は不使用のときは、スタッカ１４２の上部に指を掛けてスタッカ１４２を開閉することができるので、セッティングを容易に行うことができ、また排紙口１４１内への埃の侵入を防止することができる。更に、記録後の用紙は常に前面側から排紙されるので、ユーザは用紙を容易に取り出すことができる。次に、本発明の特徴的な部分であるパネル構造１５０について、更に図を参照して説明する。
【００１５】
図３は、上記パネル板１５０を上記パネルハウジング１１１から取り外したときの状態を表側から見た斜視図、図４は、図３を裏側から見た斜視図である。尚、以下では液晶表示パネル１１２の左側のパネル板１５０のみについて説明するが、右側のパネル板１５０も同様の構造となっている。このパネル板１５０は、外層側に配置される化粧パネル１５１と内層側に配置される基体パネル１５２の２層構造となっている。従って、この２層構造のパネル板１５０の厚さは従来のものよりも厚くなるので、パネルハウジング１１１のパネル板取付部の深さは従来のものよりも深くなるように形成されている。即ち、パネルハウジング１１１のパネル板取付部は、予め２層構造のパネル板１５０が取り付け可能な広い空間が確保されており、このため、例えば初期デザインは１層のパネル板としてコストを抑え、次デザインにはデザイン性を向上させた２層構造のパネル板１５０とすることも可能である。
【００１６】
化粧パネル１５１は、無色透明もしくは有色透明なプラスチック（透明部材）により表面及び裏面が略平坦な板状に形成されている。そして、ボタン１１３を露出させるための穴１５１ａが穿孔されている。化粧パネル１５１の裏面が略平坦に形成されているので、当該裏面にスクリーン印刷等による全面のベタ印刷やボタン１１３の表記等の印刷が可能となる。そして、化粧パネル１５１の裏面全面のベタ印刷を施すことにより、基体パネル１５２に設けられるフック等の構造を見えなくすることができる。また、化粧パネル１５１が無色透明もしくは有色透明であるので、裏面にボタン１１３の表記等の印刷を施してもユーザは視認することができる。そして、印刷部分が化粧パネル１５１で保護されるので、長期間の使用等によっても印刷部分が掠れたり剥がれるおそれは無く、印刷部分を長期に亘って鮮明な状態に維持することができる。
【００１７】
無色透明もしくは有色透明なプラスチックとしては、ポリスチレン（ＰＳ）、ＡＢＳ、ポリメタクリル酸メチル（ＰＭＭＡ）、ポリカーボネート（ＰＣ）等をそのままもしくは色材を混合したものが使用される。ポリスチレン（ＰＳ）は、スチレンの重合体であり、熱安定性に優れた非晶性の熱可塑性樹脂である。ＡＢＳは、アクリロニトリル−ブタジエン−スチレン共重合体であり、耐衝撃性に優れた樹脂である。ポリメタクリル酸メチル（ＰＭＭＡ）は、メタクリル酸メチルの重合体であり、耐油性、耐候性に優れた樹脂である。ポリカーボネート（ＰＣ）は、主鎖中に炭素エステル結合を持つ線状高分子であり、耐衝撃性、寸法安定性に優れた樹脂である。何れも透明度の高い樹脂である。
【００１８】
基体パネル１５２は、不透明なプラスチックにより表面が略平坦であって裏面にはパネルハウジング１１１に係止するためのフック（係止用部材）１５３とスナップ（係止用部材）１５４及びパネルハウジング１１１に位置決めするためのボス（位置決め用部材）１５５が一体成形された板状に形成されている。そして、ボタン１１３を露出させるための穴１５２ａが化粧パネル１５１の穴１５１ａに対応させて穿孔されている。透明な化粧パネル１５１の裏面に上記フック１５３、スナップ１５４、ボス１５５を形成した場合は、外観上透けて視認することができる場合があり、特にデザイン性で見劣りするおそれがある。しかし、不透明な基体パネル１５２の裏面に上記フック１５３、スナップ１５４、ボス１５５を形成しているので、外観上透明な化粧パネル１５１を通して視認されるおそれは無く、特にデザイン性を向上させることができる。
【００１９】
フック１５３は、基体パネル１５２の裏面の上縁両側に側面視略Ｌ字の板状に一体的に突設されている。これらのフック１５３は、パネルハウジング１１１の裏面の上縁の対応位置に設けられているフック止め１１１ａに引っ掛けられるようになっている。スナップ１５４は、基体パネル１５２の裏面の下縁両側近傍に側面視略Ｌ字の板状のものが２つ所定間隔を空けて背中合わせに一体的に突設されている。これらのスナップ１５４は、パネルハウジング１１１の裏面の下縁の対応位置に設けられているスナップ止め穴１１１ｂに差し込まれて引っ掛けられるようになっている。ボス１５５は、基体パネル１５２の裏面の各フック１５３の近傍に円筒状に一体的に突設されている。これらのボス１５５は、パネルハウジング１１１の裏面の各フック止め１１１ａの近傍の対応位置に設けられているボス止め穴１１１ｃに差し込まれるようになっている。
【００２０】
図５及び図６は、上記パネル板１５０を上記パネルハウジング１１１に取り付けたときの図２に示すＡ−Ａ線での断面図及びＢ−Ｂ線での断面図である。化粧パネル１５１は、基体パネル１５２に両面接着テープ（両面接着部材）１５６を介して貼り合わされている。フック１５３、スナップ１５４、ボス１５５等が形成された基体パネル１５２と比べて、表面及び裏面が略平坦に形成された化粧パネル１５１の方が、低コストで製造することができる。従って、ボタン１１３の表記等を各国言語対応とするときは、化粧パネル１５１のみを交換すれば良いので、コストの上昇を抑えることができる。尚、ボタン１１３の配置変更を伴うときは、基体パネル１５２の変更も必要となる。
【００２１】
両面接着テープ１５６を介して貼り合わされた化粧パネル１５１と基体パネル１５２は、基体パネル１５２の裏面側がパネルハウジング１１１を向くようにしてパネルハウジング１１１に取り付けられる。即ち、先ず、基体パネル１５２のボス１５５をパネルハウジング１１１のボス止め穴１１１ｃに差し込んで位置決めする。次に、基体パネル１５２のスナップ１５４をパネルハウジング１１１のスナップ止め穴１１１ｂに差し込む。このとき、スナップ１５４の二股の先端は、スナップ止め穴１１１ｂに入るときに一旦閉じられ、スナップ止め穴１１１ｂから突出たときに開いて引っ掛けられるので、抜け止めの機能を奏する。最後に、基体パネル１５２のフック１５３の先端をパネルハウジング１１１のフック止め１１１ａの先端に引っ掛ける。
【００２２】
以上のように、両面接着テープ１５６を介して貼り合わされた化粧パネル１５１と基体パネル１５２は、基体パネル１５２のフック１５３及びスナップ１５４により、パネルハウジング１１１に対する取り付け作業や取り外し作業が容易となるので、組立性及び解体性を向上させることができる。また、両面接着テープ１５６を介して貼り合わされた化粧パネル１５１と基体パネル１５２は、基体パネル１５２のボス１５５によりパネルハウジング１１１に取り付けたときの位置精度を高めることができるので、例えば液晶表示パネル１１２、ボタン１１３、ハウジング１０１等との位置ズレによる隙間の発生を防止することができる。
【００２３】
図７は、上記パネル板１５０の別の実施形態を図５に対応させて示す断面図、図８は、その主要部の拡大図である。図５に示す化粧パネル１５１は、基体パネル１５２に両面接着テープ１５６を介して貼り合わされているが、図７に示す化粧パネル１５７は、周縁が裏面側に折り曲げられた形状の凸部１５９が設けられており、この凸部１５９が基体パネル１５８の周縁に嵌め込まれて基体パネル１５８と合わされている。即ち、図７に示す化粧パネル１５７は、凸部１５９が設けられている点を除いて図５に示す化粧パネル１５１と同様の構成であり、図７に示す基体パネル１５８は、図５に示す基体パネル１５２よりも凸部１５９が嵌り込む分だけ一回り小さい形状である点を除いて図５に示す基体パネル１５２と同様の構成である。
【００２４】
従って、図７に示す化粧パネル１５７も無透明もしくは有色透明なプラスチックで形成されており、化粧パネル１５７の裏面に印刷が可能であるため、図５に示す化粧パネル１５１と同様の効果を奏する。また、図７に示す基体パネル１５８も図示していないがフック、スナップ、ボスが形成されているため、図５に示す基体パネル１５２と同様の効果を奏する。そして、図７に示す化粧パネル１５７は、化粧パネル１５７に設けられた凸部１５９により、基体パネル１５８に対する位置決めが容易となって取り付け作業が短時間で可能となり、組立性を更に向上させることができる。尚、凸部１５９は化粧パネル１５７の周縁の少なくとも一部に設けられていれば良い。
【００２５】
以上のように、本実施形態のパネル板１５０によれば、２層のうちの外層側の化粧パネル１５１、１５７は、透明部材で略平板状に形成されているので、化粧パネル１５１、１５７の裏面に印刷を施すことができ、長期間の使用等によっても印刷部分が掠れたり剥がれるおそれは無く、印刷部分を長期に亘って鮮明な状態に維持することができる。また、内層側の基体パネル１５２、１５８にパネルハウジング１１１に係止するためのフック１５３とスナップ１５４が形成されているので、外層側の化粧パネル１５１、１５７が透明であっても、フック１５３とスナップ１５４が透けて見えてしまうことを防止することができる。また、パネルハウジング１１１に対する化粧パネル１５１、１５７と基体パネル１５２、１５８の取り付け・取り外しが容易となるので、組立性及び解体性を向上させることができる。また、内層側の基体パネル１５２、１５８にパネルハウジング１１１との位置決めのためのボス１５５が形成されているので、パネルハウジング１１１に対して化粧パネル１５１、１５７と基体パネル１５２、１５８を取り付けたときの位置ズレによる隙間の発生を防止することができる。
【００２６】
また、化粧パネル１５１は、基体パネル１５２と両面接着テープ１５６を介して貼り合わされているので、化粧パネル１５１と基体パネル１５２との貼り合わせ作業を簡易に行うことができる。また、化粧パネル１５７は、周縁の少なくとも一部に設けられた凸部１５９が基体パネル１５８の周縁と接するようにして取り付けられているので、化粧パネル１５７と基体パネル１５８との取り付けが容易となり、組立性を向上させることができる。
【産業上の利用可能性】
【００２７】
パネル構造を備えた記録装置であれば、例えばファクシミリ装置、コピー装置、スキャナ等であっても適用可能である。また、記録装置に限らず、パネル構造を備えた一般的な電子装置にも適用可能である。
【図面の簡単な説明】
【００２８】
【図１】本発明の一実施の形態に係るパネル構造を備えた電子機器である記録装置の外観構成の全体を示す斜視図である。
【図２】図１の記録装置のパネル構造を含む部分を示す斜視図である。
【図３】図１の記録装置のパネル板をパネルハウジングから取り外したときの状態を表側から見た斜視図である。
【図４】図３を裏側から見た斜視図である。
【図５】図１の記録装置のパネル板をパネルハウジングに取り付けたときの図２に示すＡ−Ａ線での断面図である。
【図６】図１の記録装置のパネル板をパネルハウジングに取り付けたときの図２に示すＢ−Ｂ線での断面図である。
【図７】図１の記録装置のパネル板の別の実施形態を図５に対応させて示す断面図である。
【図８】図７の主要部の拡大図である。
【符号の説明】
【００２９】
１００  インクジェット式プリンタ、１０１  ハウジング、１１０  操作部、１１１  パネルハウジング、１１３  ボタン、１２０  メモリカードスロット部、１３０  給紙部、１４０  排紙部、１５０  パネル板、１５１、１５７  化粧パネル、１５２、１５８  基体パネル、１５３  フック、１５４  スナップ、１５５  ボス、１５６  両面接着テープ、１５９  凸部
【図１】
2008011307.tif 000003
【図２】
2008011307.tif 000004
【図３】
2008011307.tif 000005
【図４】
2008011307.tif 000006
【図５】
2008011307.tif 000007
【図６】
2008011307.tif 000008
【図７】
2008011307.tif 000009
【図８】
2008011307.tif 000010